(57)【特許請求の範囲】
【請求項１】
発生する事象に対する対応を訓練するために、複数の機関でそれぞれの所定の管理範囲において作成される訓練用シナリオを統合するシナリオ統合装置であって、
前記機関と前記所定の管理範囲とを対応付けた管理範囲情報を予め記憶する管理範囲情報記憶部と、
前記機関において前記管理範囲情報に基づいて作成された前記訓練用シナリオを前記機関からそれぞれ受信するシナリオ受信部と、
前記シナリオ受信部によって受信された前記訓練用シナリオに含まれる前記事象と、前記管理範囲情報記憶部により記憶された前記管理範囲情報とに基づいて、複数の前記機関を連携した訓練をするための統合シナリオを作成する統合シナリオ作成部と、
前記統合シナリオ作成部によって作成された前記統合シナリオに基づいた、前記機関のための前記訓練用シナリオを、前記機関にそれぞれ送信するシナリオ送信部と、
を備えるシナリオ統合装置。
【請求項２】
前記シナリオ受信部によって受信された複数の前記訓練用シナリオにおける不一致を判定する不一致判定部をさらに備え、
前記統合シナリオ作成部は、前記不一致判定部によって不一致ではないと判定された複数の前記訓練用シナリオに基づいて前記統合シナリオを作成する、請求項１に記載のシナリオ統合装置。
【請求項３】
前記不一致判定部は、複数の前記訓練用シナリオにおいて、前記機関のうち第１の機関から受信した第１の訓練用シナリオと、前記機関のうち第２の機関から受信した第２の訓練用シナリオとが、時系列的に矛盾する事象を含む場合、前記第１の訓練用シナリオと前記第２の訓練用シナリオとが不一致であると判定し、
前記統合シナリオ作成部は、前記不一致判定部によって不一致ではないと判定された複数の前記訓練用シナリオに基づいて前記統合シナリオを作成し、作成した前記統合シナリオにおいて、事象の時系列に基づいて事象を並べ替え、前記統合シナリオを作成する、請求項２に記載のシナリオ統合装置。
【請求項４】
前記不一致判定部は、複数の前記訓練用シナリオにおいて、前記機関のうち第１の機関から受信した第１の訓練用シナリオに含まれる事象と、前記機関のうち第２の機関から受信した第２の訓練用シナリオに含まれる事象とが、関連して発生する関係において矛盾する場合、前記第１の訓練用シナリオと前記第２の訓練用シナリオとが不一致であると判定し、
前記統合シナリオ作成部は、前記不一致判定部によって不一致ではないと判定された複数の前記訓練用シナリオに基づいて前記統合シナリオを作成し、作成した前記統合シナリオに含まれる事象に関連する関連事象を、前記関連事象が発生する前記機関の事象として前記統合シナリオに追加する、請求項２に記載のシナリオ統合装置。
【請求項５】
請求項１に記載のシナリオ統合装置が実行する方法であって、
前記シナリオ受信部が、前記機関において前記管理範囲情報に基づいて作成された前記訓練用シナリオを前記機関からそれぞれ受信するシナリオ受信ステップと、
前記統合シナリオ作成部が、前記シナリオ受信ステップによって受信された前記訓練用シナリオに含まれる前記事象と、前記管理範囲情報記憶部により記憶された前記管理範囲情報とに基づいて、複数の前記機関を連携した訓練をするための統合シナリオを作成する統合シナリオ作成ステップと、
前記シナリオ送信部が、前記統合シナリオ作成ステップによって作成された前記統合シナリオに基づいた、前記機関のための前記訓練用シナリオを、前記機関にそれぞれ送信するシナリオ送信ステップと、
を備える方法。
【発明の詳細な説明】
【技術分野】
【０００１】
本発明は、シナリオ統合装置及び方法に関する。
【背景技術】
【０００２】
従来より、工場や発電プラントでは、事故や災害等に対する訓練がシナリオを用いて行われている。例えば、発電プラントでは、事故や災害等であっても電力安定供給の確保と、良質な電力品質維持等とを図るため、中央給電指令所、基幹給電制御所及び制御所は、運転シミュレータを活用して復旧訓練を実施している。このような訓練を支援するシステムを開示するものとして特許文献１や特許文献２が知られている。
【０００３】
特許文献１の電力系統訓練シミュレータは、電気所模擬指令の入力を受付け、これによる電気所開閉所の状態変化と発電機状態変化を模擬し、模擬結果に基づきメモリに記憶されている系統データを更新し、少なくとも１つの制御システム模擬手段が、メモリからの系統データを情報伝送手段を介して入力するよう構成されている。このため、電力系統訓練シミュレータは、制御システム模擬手段が並行して作用し、複数のコントロールセンターのオペレータを同時に訓練できるようにする。
【０００４】
特許文献２のシステムは、既に開発済みのシナリオを利用して、コンポーネントを連携させたシナリオを作成する。
【先行技術文献】
【特許文献】
【０００５】
【特許文献１】特開平５−３１６６５２号公報
【特許文献２】特開２０１０−４９３９７号公報
【発明の概要】
【発明が解決しようとする課題】
【０００６】
しかしながら、特許文献１や特許文献２で開示された技術は、複数の機関が連携して対応しなければならないような事象に対する総合的な訓練をするためのシナリオを作成するものではない。訓練が自所や研修所内のみで個別に行われるのであれば、各所において、個別のシナリオが作成されることにしてもよいが、他所と連携した総合訓練を実施する場合は、各所で個別のシナリオが作成されると、訓練情報の内容をインストラクタが電話等で調整しながら実施しなければならない。
【０００７】
そこで、他所と連携した総合訓練のシナリオを容易に作成することができる技術が求められている。
【０００８】
本発明は、各機関が連携して総合的な訓練を行うためのシナリオを容易に作成することができるシナリオ統合装置及び方法を提供することを目的とする。
【課題を解決するための手段】
【０００９】
具体的には、以下のような解決手段を提供する。
（１）  発生する事象に対する対応を訓練するために、複数の機関でそれぞれの所定の管理範囲において作成される訓練用シナリオを統合するシナリオ統合装置であって、前記機関と前記所定の管理範囲とを対応付けた管理範囲情報を予め記憶する管理範囲情報記憶部と、前記機関において前記管理範囲情報に基づいて作成された前記訓練用シナリオを前記機関からそれぞれ受信するシナリオ受信部と、前記シナリオ受信部によって受信された前記訓練用シナリオに含まれる前記事象と、前記管理範囲情報記憶部により記憶された前記管理範囲情報とに基づいて、複数の前記機関を連携した訓練をするための統合シナリオを作成する統合シナリオ作成部と、前記統合シナリオ作成部によって作成された前記統合シナリオに基づいた、前記機関のための前記訓練用シナリオを、前記機関にそれぞれ送信するシナリオ送信部と、を備えるシナリオ統合装置。
【００１０】
（１）に係るシナリオ統合装置は、機関と所定の管理範囲とを対応付けた管理範囲情報に基づいて作成された訓練用シナリオを機関からそれぞれ受信し、受信した訓練用シナリオに含まれる事象と、管理範囲情報とに基づいて、複数の機関を連携した訓練をするための統合シナリオを作成し、作成した統合シナリオに基づいた、機関のための訓練用シナリオを各機関にそれぞれ送信する。
【００１１】
すなわち、（１）に係るシナリオ統合装置は、訓練用シナリオに含まれる事象と、各機関の管理範囲情報とに基づいて、各機関で作成された訓練用シナリオを統合した統合シナリオを作成し、作成した統合シナリオに基づいた訓練用シナリオを各機関に送信する。
したがって、（１）に係るシナリオ統合装置は、各機関が連携して総合的な訓練を行うためのシナリオを容易に作成することができる。
【００１２】
（２）  前記シナリオ受信部によって受信された複数の前記訓練用シナリオにおける不一致を判定する不一致判定部をさらに備え、前記統合シナリオ作成部は、前記不一致判定部によって不一致ではないと判定された複数の前記訓練用シナリオに基づいて前記統合シナリオを作成する、（１）に記載のシナリオ統合装置。
【００１３】
したがって、（２）に係るシナリオ統合装置は、各機関が連携して総合的な訓練を行うためのシナリオを、不一致ではないように（例えば、事象と事象との時間的発生順や、関連性に矛盾がないように）、容易に作成することができる。
【００１４】
（３）  前記不一致判定部は、複数の前記訓練用シナリオにおいて、前記機関のうち第１の機関から受信した第１の訓練用シナリオと、前記機関のうち第２の機関から受信した第２の訓練用シナリオとが、時系列的に矛盾する事象を含む場合、前記第１の訓練用シナリオと前記第２の訓練用シナリオとが不一致であると判定し、前記統合シナリオ作成部は、前記不一致判定部によって不一致ではないと判定された複数の前記訓練用シナリオに基づいて前記統合シナリオを作成し、作成した前記統合シナリオにおいて、事象の時系列に基づいて事象を並べ替え、前記統合シナリオを作成する、（２）に記載のシナリオ統合装置。
【００１５】
したがって、（３）に係るシナリオ統合装置は、各機関が連携して総合的な訓練を行うためのシナリオを、事象の発生時刻に矛盾がないように、容易に作成することができる。
【００１６】
（４）  前記不一致判定部は、複数の前記訓練用シナリオにおいて、前記機関のうち第１の機関から受信した第１の訓練用シナリオに含まれる事象と、前記機関のうち第２の機関から受信した第２の訓練用シナリオに含まれる事象とが、関連して発生する関係において矛盾する場合、前記第１の訓練用シナリオと前記第２の訓練用シナリオとが不一致であると判定し、前記統合シナリオ作成部は、前記不一致判定部によって不一致ではないと判定された複数の前記訓練用シナリオに基づいて前記統合シナリオを作成し、作成した前記統合シナリオに含まれる事象に関連する関連事象を、前記関連事象が発生する前記機関の事象として前記統合シナリオに追加する、（２）に記載のシナリオ統合装置。
【００１７】
したがって、（４）に係るシナリオ統合装置は、各機関が連携して総合的な訓練を行うためのシナリオを、事象間の関連性に矛盾がないように、容易に作成することができる。
【００１８】
（５）  （１）に記載のシナリオ統合装置が実行する方法であって、前記シナリオ受信部が、前記機関において前記管理範囲情報に基づいて作成された前記訓練用シナリオを前記機関からそれぞれ受信するシナリオ受信ステップと、前記統合シナリオ作成部が、前記シナリオ受信ステップによって受信された前記訓練用シナリオに含まれる前記事象と、前記管理範囲情報記憶部により記憶された前記管理範囲情報とに基づいて、複数の前記機関を連携した訓練をするための統合シナリオを作成する統合シナリオ作成ステップと、前記シナリオ送信部が、前記統合シナリオ作成ステップによって作成された前記統合シナリオに基づいた、前記機関のための前記訓練用シナリオを、前記機関にそれぞれ送信するシナリオ送信ステップと、を備える方法。
【００１９】
したがって、（５）に係る方法は、各機関が連携して総合的な訓練を行うためのシナリオを容易に作成することができる。
【発明の効果】
【００２０】
本発明によれば、各機関が連携して総合的な訓練を行うためのシナリオを、容易に作成することができる。
【図面の簡単な説明】
【００２１】
【図１】本発明の一実施形態に係るシナリオ統合装置の構成を示すブロック図である。
【図２】本発明の一実施形態に係るシナリオ統合装置と、各機関とがネットワークを介して接続されているシステムの例を示す図である。
【図３】本発明の一実施形態に係るシナリオ統合装置の管理範囲情報記憶部の例を示す図である。
【図４】本発明の一実施形態に係るシナリオ統合装置による統合シナリオの作成の例を示す図である。
【図５】本発明の一実施形態に係るシナリオ統合装置により、基幹給電制御所の訓練用シナリオに含まれる上位の事象に関連する下位の事象を、制御所の訓練用シナリオに追加する場合の例を示す図である。
【図６】本発明の一実施形態に係るシナリオ統合装置により、制御所の訓練用シナリオに含まれる事象に関連する関連事象を、基幹給電制御所の訓練用シナリオに追加する場合の例を示す図である。
【図７】本発明の一実施形態に係るシナリオ統合装置の処理の例を示すフローチャートである。
【発明を実施するための形態】
【００２２】
以下、本発明の実施形態について図を参照しながら説明する。
図１は、本発明の一実施形態に係るシナリオ統合装置１０の構成を示すブロック図である。シナリオ統合装置１０は、管理範囲情報記憶部３１と、シナリオ受信部１１と、不一致判定部１２と、統合シナリオ作成部１３と、シナリオ送信部１４とを備え、シナリオ統合装置１０は、発生する事象に対する対応を訓練するために、複数の機関（例えば、基幹給電制御所５２や制御所等）でそれぞれの所定の管理範囲において作成される訓練用シナリオを統合する。各部を詳述する。
【００２３】
管理範囲情報記憶部３１は、機関と所定の管理範囲とを対応付けた管理範囲情報を予め記憶する。具体的には、管理範囲情報記憶部３１は、例えば、基幹給電制御所５２と、基幹給電制御所５２の管理下である制御所とを対応付けた管理範囲情報を予め記憶する。管理範囲情報記憶部３１は、さらに、制御所と、制御所の管理範囲（例えば、管理する母線や線路等の地域情報等）とを対応付けるとしてもよい。
管理範囲情報は、通信装置を介して取得されて管理範囲情報記憶部３１に記憶されるとしてもよいし、キーボード等の入力装置から入力されて管理範囲情報記憶部３１に記憶されるとしてもよい。
【００２４】
シナリオ受信部１１は、機関において管理範囲情報に基づいて作成された訓練用シナリオを機関からそれぞれ受信する。具体的には、訓練用シナリオは、機関の管理範囲情報（例えば、制御所の場合、制御所の管理範囲の母線や線路等の情報）に基づいて、その機関が管理する範囲において発生する事象を含んで作成される。
シナリオ受信部１１は、それぞれの機関において作成された訓練用シナリオを、例えば、通信ネットワークを介して受信する。
【００２５】
統合シナリオ作成部１３は、シナリオ受信部１１によって受信された訓練用シナリオに含まれる事象と、管理範囲情報記憶部３１により記憶された管理範囲情報とに基づいて、複数の機関を連携した訓練をするための統合シナリオを作成する。具体的には、統合シナリオ作成部１３は、各機関によって作成された訓練用シナリオに基づいて、事象の発生時刻順に事象を並べ替えたり、事象に関連する関連事象を自動的に作成し追加したりして、複数の機関を連携した訓練をするための統合シナリオを作成する。
【００２６】
不一致判定部１２は、シナリオ受信部１１によって受信された複数の訓練用シナリオにおける不一致を判定する。統合シナリオ作成部１３は、不一致判定部１２によって不一致ではないと判定された複数の訓練用シナリオに基づいて統合シナリオを作成する。
【００２７】
具体的には、不一致判定部１２は、複数の訓練用シナリオにおいて、機関のうち第１の機関から受信した第１の訓練用シナリオと、機関のうち第２の機関から受信した第２の訓練用シナリオとが、時系列的に矛盾する事象を含む場合、第１の訓練用シナリオと第２の訓練用シナリオとが不一致であると判定する。例えば、不一致判定部１２は、第１の訓練用シナリオの事象発生時刻と、第２の訓練用シナリオの事象発生時刻とが同時である場合であって、同時に発生することがないような場合に、第１の訓練用シナリオと第２の訓練用シナリオとが不一致であると判定する。また、不一致判定部１２は、第１の訓練用シナリオの事象発生時刻と、第２の訓練用シナリオの事象発生時刻との前後関係が発生し得ない関係である場合に、第１の訓練用シナリオと第２の訓練用シナリオとが不一致であると判定する。
【００２８】
統合シナリオ作成部１３は、不一致判定部１２によって不一致ではないと判定された複数の訓練用シナリオに基づいて統合シナリオを作成し、作成した統合シナリオにおいて、事象の時系列に基づいて事象を並べ替え、統合シナリオを作成する。
【００２９】
また、不一致判定部１２は、複数の訓練用シナリオにおいて、機関のうち第１の機関から受信した第１の訓練用シナリオに含まれる事象と、機関のうち第２の機関から受信した第２の訓練用シナリオに含まれる事象とが、関連して発生する関係において矛盾する場合、第１の訓練用シナリオと第２の訓練用シナリオとが不一致であると判定する。例えば、不一致判定部１２は、時系列的に先に発生する事象である上位の事象（例えば、基幹給電制御所５２の訓練用シナリオに含まれる系統ルート断）と、上位の事象に関連して発生する下位の事象（例えば、制御所の訓練用シナリオに含まれる線路ＵＶ遮断）との関係において矛盾する場合、第１の訓練用シナリオと第２の訓練用シナリオとが不一致であると判定する。関係が矛盾する場合とは、系統ルート断の発生時刻が、線路ＵＶ遮断の発生時刻よりも後の時刻である場合や、発生時刻同士が略同時ではなく、発生時刻同士が所定の時間よりも離れているような場合である。
【００３０】
統合シナリオ作成部１３は、不一致判定部１２によって不一致ではないと判定された複数の訓練用シナリオに基づいて統合シナリオを作成し、作成した統合シナリオに含まれる事象に関連する関連事象を、関連事象が発生する機関の事象として統合シナリオに追加する。関連事象には、例えば、制御所で発生する基幹給電制御所側の送電線事故という事象に関連する、基幹給電制御所５２の制御所側の送電線事故という事象等も含まれる。
【００３１】
シナリオ送信部１４は、統合シナリオ作成部１３によって作成された統合シナリオに基づいた、機関のための訓練用シナリオを、機関にそれぞれ送信する。具体的には、シナリオ送信部１４は、統合シナリオに含まれる事象を、機関ごとに時系列順に並べ、訓練用シナリオとして各機関に送信する。なお、送信された訓練シナリオは、各機関において、追加書き込みされたり、修正されたりするとしてもよい。シナリオ統合装置１０は、各機関の現状に合わせて修正可能な訓練用シナリオとして提供することができる。
【００３２】
図２は、本発明の一実施形態に係るシナリオ統合装置１０と、各機関とが運転制御ネットワーク及び統合訓練ネットワークを介して接続されているシステムの例を示す図である。機関として、例えば、中央給電指令所５１と、基幹給電制御所５２と、複数の制御所（制御所Ａ５３、制御所Ｂ５４）と、研修所５５とが、存在する。シナリオ統合装置１０は、統合訓練ネットワークを介して、各機関が作成した訓練用シナリオを受信する。
シナリオ統合装置１０は、受信した訓練用シナリオを統合し、統合した統合シナリオに基づいた、各機関用の訓練用シナリオを、総合訓練ネットワークを介して、各機関に送信する。各機関において、訓練用計算機は、受信した訓練用シナリオに基づいて、運転シミュレータ（インストラクタ卓等）を介して、模擬的に事象を発生させる。なお、訓練用計算機は、統合シナリオに基づいた指令により作動するとしてもよいし、訓練用シナリオに含まれる事象の発生時刻に基づいて作動するとしてもよい。
【００３３】
図３は、本発明の一実施形態に係るシナリオ統合装置１０の管理範囲情報記憶部３１の例を示す図である。
管理範囲情報記憶部３１に記憶される管理範囲情報は、機関と、管理範囲とを対応付けている。例えば、管理範囲情報は、基幹給電制御所５２と、制御所Ａ５３等とを対応付け、基幹給電制御所５２が管理する制御所Ａ５３への系統における系統ルート断事故という事象と、制御所Ａ５３における線路ＵＶ遮断、送電線過負荷及び母線電圧低下という事象とが、上位の事象と下位の事象との関係にあることを記憶している。
また、管理範囲情報は、基幹給電制御所５２が管理する制御所Ａ側の送電線事故という事象と、制御所Ａ５３における基幹給電制御所側の送電線事故という事象とが、互いに関連する事象の関係にあることも記憶している。
【００３４】
図４は、本発明の一実施形態に係るシナリオ統合装置１０による統合シナリオ５００の作成の例を示す図である。
図４の例において、基幹給電制御所５２は、事象５２１を含む訓練用シナリオ５２０を作成し、制御所Ａ５３は、事象５３１と事象５３２とを含む訓練用シナリオ５３０を作成し、制御所Ｂ５４は、事象５４１と事象５４２と事象５４３とを含む訓練用シナリオ５４０を作成する。
シナリオ統合装置１０は、作成された訓練用シナリオ５２０，５３０，５４０において、事象が時系列的に矛盾しないこと、かつ、事象の関連性において矛盾しないことを判断する。シナリオ統合装置１０は、矛盾しない（すなわち、一致する）と判断した場合、上位の事象５２１に関連する下位の事象５３１１，５４１１を自動的に作成し、その下位の事象が発生する機関の事象として、統合シナリオ５００に追加する。
さらに、シナリオ統合装置１０は、事象５４３に関連する関連事象５２１１と、事象５３２に関連する関連事象５２１２とを自動的に作成し、その事象が発生する機関の事象として、統合シナリオ５００に追加する。次に、シナリオ統合装置１０は、統合シナリオ５００の事象を発生時刻順に並べる。
シナリオ統合装置１０は、統合シナリオ５００に基づいて、各機関ごとに事象を発生時刻順に並べた訓練用シナリオ５２００，５３００，５４００を作成する。
【００３５】
図５は、本発明の一実施形態に係るシナリオ統合装置１０により、基幹給電制御所５２の訓練用シナリオに含まれる上位の事象に関連する下位の事象を、制御所の訓練用シナリオに追加する場合の例を示す図である。図５において、管理範囲３１０１は、管理範囲情報記憶部３１に記憶された基幹給電制御所５２の管理範囲を表している。同様に、管理範囲３１０２と、管理範囲３１０３とは、それぞれ、制御所Ａ５３の管理範囲と、制御所Ｂ５４の管理範囲とを表している。そして、関連範囲３１１０は、基幹給電制御所５２の管理範囲３１０１と、制御所Ａ５３の管理範囲３１０２及び制御所Ｂ５４の管理範囲３１０３とが、管理範囲情報記憶部３１に記憶された管理範囲情報によって、関連していることを表している。管理範囲３１０１及び管理範囲３１０２における図中の×印や、管理範囲３１０３における図中のコメント（例えば、母線電圧低下）は、訓練用シナリオ５２０１，５３０１，５４０１の事象を表している。
図５の例は、基幹給電制御所５２の訓練用シナリオ５２０１に、上位の事象、例えば、事故種別の送電線事故として「系統ルート断」が含まれる例である。この例の場合、図５が示すように、シナリオ統合装置１０は、基幹給電制御所５２の「系統ルート断」に基づいて関連する下位の事象、例えば、制御所Ａ５３の「線路ＵＶ遮断」、「送電線過負荷」、及び「母線電圧低下」を、制御所Ａ５３の訓練用シナリオ５３０１に追加し、さらに、「系統ルート断」に基づいて関連する下位の事象、例えば、制御所Ｂ５４の「母線電圧低下」を、制御所Ｂ５４の訓練用シナリオ５４０１に追加する。
【００３６】
図６は、本発明の一実施形態に係るシナリオ統合装置１０により、制御所の訓練用シナリオに含まれる事象に関連する関連事象を、基幹給電制御所５２の訓練用シナリオに追加する場合の例を示す図である。
図６（１）の例は、制御所Ａ５３で作成された訓練用シナリオに、事象として制御所Ａ５３の基幹給電制御所側の「送電線事故（地絡）瞬時」が含まれる例である。この例の場合、シナリオ統合装置１０は、制御所Ａ５３の基幹給電制御所側の「送電線事故（地絡）瞬時」の関連事象として、基幹給電制御所５２の訓練用シナリオに、制御所Ａ側の「送電線事故」の事象を追加する。図６（１）の基幹給電制御所５２の管理範囲３１０１において、関連事象としての制御所Ａ側の「送電線事故」の事象を×印で表している。
図６（２）の例は、制御所Ｂ５４で作成された訓練用シナリオに、事象として制御所Ｂ５４の基幹給電制御所側の「送電線事故（地絡）永久」が含まれる例である。この例の場合、シナリオ統合装置１０は、制御所Ｂ５４の基幹給電制御所側の「送電線事故（地絡）永久」の関連事象として、基幹給電制御所５２の訓練用シナリオに、制御所Ｂ側の「送電線過負荷」の事象を追加する。図６（２）の基幹給電制御所５２の管理範囲３１０１において、関連事象としての制御所Ｂ側の「送電線過負荷」の事象を×印で表している。
【００３７】
図７は、本発明の一実施形態に係るシナリオ統合装置１０の処理の例を示すフローチャートである。シナリオ統合装置１０は、コンピュータ及びその周辺装置が備えるハードウェア並びに該ハードウェアを制御するソフトウェアによって構成される。以下の処理は、制御部（例えば、ＣＰＵ）が、所定のソフトウェアに従い実行する処理である。
【００３８】
ステップＳ１０１において、ＣＰＵ（シナリオ受信部１１）は、訓練用シナリオを受信する。より具体的には、ＣＰＵは、各機関において管理範囲情報に基づいて作成された訓練用シナリオを各機関からそれぞれ受信する。
【００３９】
ステップＳ１０２において、ＣＰＵ（不一致判定部１２）は、受信した複数の訓練用シナリオが不一致か否かを判断する。より具体的には、ＣＰＵは、複数の訓練用シナリオにおいて、事象同士の発生が時系列的に矛盾するか否か、事象同士が発生し得ない関係であるか否かを判断する。この判断が、ＹＥＳの場合、訓練用シナリオ同士が不一致であると判断し、ＣＰＵは、処理をステップＳ１０６に移し、この判断が、ＮＯの場合、ＣＰＵは、処理をステップＳ１０３に移す。
【００４０】
ステップＳ１０３において、ＣＰＵ（統合シナリオ作成部１３）は、関連事象を追加する。より具体的には、ＣＰＵは、複数の訓練用シナリオにおいて、一の訓練用シナリオに含まれる事象に関連する関連事象を、その関連事象が発生する機関の事象として追加する。
【００４１】
ステップＳ１０４において、ＣＰＵ（統合シナリオ作成部１３）は、事象を発生時刻順に並べ替えて、統合シナリオを作成する。より具体的には、ＣＰＵは、事象の発生時刻を昇順にソートし、発生時刻順に事象を並べ替えた統合シナリオを作成する。
【００４２】
ステップＳ１０５において、ＣＰＵ（シナリオ送信部１４）は、統合シナリオを機関ごとの訓練用シナリオとし、各機関に送信する。より具体的には、ＣＰＵは、統合シナリオから、機関ごとに事象を発生時刻順に並べた訓練用シナリオを作成し、作成した訓練用シナリオを各機関に送信する。その後、ＣＰＵは処理を終了する。
【００４３】
ステップＳ１０６において、ＣＰＵ（不一致判定部１２）は、訓練用シナリオが不一致であることを示すメッセージを出力する。その後、ＣＰＵは処理を終了する。
【００４４】
本実施形態によれば、シナリオ統合装置１０は、機関と所定の管理範囲とを対応付けた管理範囲情報に基づいて作成された訓練用シナリオを機関からそれぞれ受信し、受信した訓練用シナリオに含まれる事象と、管理範囲情報とに基づいて、複数の機関を連携した訓練をするための統合シナリオを作成し、作成した統合シナリオに基づいた、機関のための訓練用シナリオを各機関にそれぞれ送信する。さらに、シナリオ統合装置１０は、複数の訓練用シナリオにおいて、時系列的に矛盾する事象を含む場合や、訓練用シナリオに含まれる事象同士の関係において矛盾する場合、訓練用シナリオ同士が不一致であると判定する。シナリオ統合装置１０は、訓練用シナリオ同士が不一致ではないと判定した場合、訓練用シナリオに含まれる事象の時系列に基づいて事象を並べ替えた統合シナリオを作成し、作成した統合シナリオに含まれる事象に関連する関連事象を、関連事象が発生する機関の事象として統合シナリオに追加する。そして、シナリオ統合装置１０は、統合シナリオに基づいた、機関のための訓練用シナリオを、各機関にそれぞれ送信する。
したがって、シナリオ統合装置１０は、各機関が連携して総合的な訓練を行うためのシナリオを容易に作成することができる。さらに、シナリオ統合装置１０は、統合シナリオとして、複数の訓練用シナリオを容易に１つにすることができるため、事故発生から事故復旧までの事故事象を正確に模擬できるようなシナリオを容易に作成することができる。また、シナリオ統合装置１０は、リアルで実態にあった訓練を行うための訓練用シナリオや、事故や災害時における対応の改善や被災影響緩和に関する技術力の向上が図れるような訓練用シナリオを容易に作成することができる。
【００４５】
以上、本発明の実施形態について説明したが、本発明は上述した実施形態に限るものではない。
例えば、本実施形態では、統合シナリオに基づく訓練用シナリオを各機関に送信し、各機関において訓練用シナリオに基づいて、訓練が実施されるとしたが、統合シナリオシミュレータにより、統合シナリオに基づいて、各機関の訓練用計算機を一括して作動させるとしてもよい。統合シナリオシミュレータは、各機関を連携した総合的な訓練の進捗を管理することができる。
また、本発明の実施形態に記載された効果は、本発明から生じる最も好適な効果を列挙したに過ぎず、本発明による効果は、本発明の実施形態に記載されたものに限定されるものではない。
【符号の説明】
【００４６】
１０    シナリオ統合装置
１１    シナリオ受信部
１２    不一致判定部
１３    統合シナリオ作成部
１４    シナリオ送信部
３１    管理範囲情報記憶部
５１    中央給電指令所
５２    基幹給電制御所
５３    制御所Ａ
５４    制御所Ｂ
５５    研修所
【図１】
0006492738.tif 000002
【図２】
0006492738.tif 000003
【図３】
0006492738.tif 000004
【図４】
0006492738.tif 000005
【図５】
0006492738.tif 000006
【図６】
0006492738.tif 000007
【図７】
0006492738.tif 000008